(57)【要約】【課題】視覚障害者がトイレ個室外からトイレのドアの施錠状態を触覚により容易に識別可能であり、且つ、視覚健常者も視覚により識別可能な視覚障害者用トイレ施錠確認具を提供する。【解決手段】トイレのドア１に設けられトイレ個室外からドア１の施錠状態を識別可能なトイレ施錠確認具３であって、ドア１の施錠状態を触覚により識別するための識別手段を備え、この識別手段は貫通孔１２を有する本体１１と、この本体１１に収容され貫通孔１２を通過して本体１１から出没可能な突起１３ａを有する突起体１３により構成されており、施錠するときに突起体１３を初期位置から移動させて突起１３ａの一部を本体１１から突出させ、施錠を解除するときに突起体１３を初期位置へ移動させて突起１３ａを本体１１内に収容する突起体移動機構を備えたことを特徴とする。【選択図】  図４
2006177109.tif 000002
【特許請求の範囲】
【請求項１】
トイレのドアに設けられトイレ個室外からドアの施錠状態を識別可能なトイレ施錠確認具であって、
ドアの施錠状態を触覚により識別するための識別手段を備えたことを特徴とする視覚障害者用トイレ施錠確認具。
【請求項２】
前記識別手段は、貫通孔を有する本体と、当該本体に収容され前記貫通孔を通過して前記本体から出没可能な少なくとも一つの突起を有する突起体により構成され、
施錠するときに前記突起体を初期位置から移動させて前記突起の一部または全部を前記本体から突出させ、施錠を解除するときに前記突起体を初期位置へ移動させて前記突起を前記本体内に収容する突起体移動機構を備えた請求項１記載の視覚障害者用トイレ施錠確認具。
【請求項３】
前記突起体移動機構は、前記突起体を移動させるための棒状体と、当該棒状体を回転させるための回転手段とを備え、前記突起体には前記棒状体と嵌合する円筒状の凹部が形成され、当該凹部には前記棒状体に設けられた係止部を螺旋状にスライドさせて前記突起体を移動させるためのスライド部が設けられ、
施錠するときに前記棒状体は、前記凹部内で前記回転手段により回転しながら前記突起体を押して初期位置から移動させ、
施錠を解除するときに前記棒状体は、前記凹部内で前記回転手段により回転しながら前記突起体を初期位置へ移動させる請求項２記載の視覚障害者用トイレ施錠確認具。
【請求項４】
前記回転手段は、前記棒状体に備わるピニオンと、トイレ個室内から施錠するための施錠器具に形成され前記ピニオンと噛み合うラックとを有した請求項３記載の視覚障害者用トイレ施錠確認具。
【発明の詳細な説明】
【技術分野】
【０００１】
本発明は、視覚障害者のための触覚による情報表示に関し、詳しくは、視覚障害者がトイレのドアの施錠状態を識別するための情報表示に関する。
【背景技術】
【０００２】
視覚障害者が情報を認識するための媒体として例えば点字や突起等の表示物があり、視覚障害者はこの表示物を触ることにより情報を取得することができる。視覚障害者が部屋等の個室の位置情報や識別情報を認識する場合、従来、予め扉に表示物を表示しておくことが知られている（例えば特許文献１など。）。
【０００３】
特許文献１には、把手のハンドルを握ったときに手に触れる部位に突起形成用の鋲を打刻した点字で情報を表示した扉の把手が記載されている。この把手は、視覚障害者が扉が関係する部屋の情報を点字により把握できるものである。
【０００４】
【特許文献１】特開２０００−１７０４１３号公報
【発明の開示】
【発明が解決しようとする課題】
【０００５】
ところで、トイレ個室のドアにはその施錠状態を個室外から確認するための表示部が備えられている。例えば、使用者がトイレを使用中でドアが施錠されたときには「赤色」、ドアの施錠が解除されたときには「青色」というように、施錠状態に応じて表示部の色が変わることにより、トイレ個室外の他者からその施錠状態や使用状態を視覚により識別することができる表示部が知られている。しかしながらこのようなトイレ個室の場合、視覚障害者は視覚によって個室外から施錠状態を識別することはできないという問題がある。
【０００６】
特許文献１に記載の把手をトイレ個室のドアに用いた場合、予め扉の把手に点字が打刻されているため、ドアの施錠状態に合わせて点字を表示させることができない。また点字情報は複雑であり、点字に不慣れな視覚障害者は瞬時にその情報を認識することができない。さらにこの把手を使用した場合には、点字は小さいため視覚健常者は遠くから視認ができない。
【０００７】
本発明の目的は、視覚障害者がトイレ個室外からトイレのドアの施錠状態を触覚により容易に識別可能な視覚障害者用トイレ施錠確認具を提供することにある。
【課題を解決するための手段】
【０００８】
本発明の視覚障害者用トイレ施錠確認具は、トイレのドアに設けられトイレ個室外からドアの施錠状態を識別可能なトイレ施錠確認具であって、ドアの施錠状態を触覚により識別するための識別手段を備えたことを特徴とする。
ドアの施錠状態を触覚により識別するための識別手段を備えたことにより、視覚障害者は、トイレ個室に入るときにそのトイレ個室が施錠されているか否かを手等で触れて識別することができる。これにより視覚障害者は、ドアをノックしたり押したりすることなくそのトイレ個室が使用者により使用中であるか否かを判断することができる。
【０００９】
ここで識別手段は、貫通孔を有する本体と、この本体に収容され貫通孔を通過して本体から出没可能な少なくとも一つの突起を有する突起体により構成され、施錠するときに突起体を初期位置から移動させて突起の一部または全部を本体から突出させ、施錠を解除するときに突起体を初期位置へ移動させて突起を本体内に収容する突起体移動機構（以下、移動機構と称す。）を備えたことを特徴とする。
【００１０】
識別手段を、貫通孔を有する本体と、貫通孔を通過して本体から出没可能な少なくとも一つの突起を有する突起体により構成することにより、視覚障害者は、手等で触ることで突起を確認できればドアは施錠された状態であることを認識することができ、突起が確認されなければドアは施錠が解除された状態であることを認識することができる。このため、視覚障害者は触覚によりドアの施錠状態を識別することができる。また、突起体を移動させる移動機構を備えることにより、突起を本体から出没させることができる。
【００１１】
さらに、移動機構は、突起体を移動させるための棒状体と、この棒状体を回転させるための回転手段とを備え、突起体には棒状体と嵌合する円筒状の凹部が形成され、凹部には棒状体に設けられた係止部を螺旋状にスライドさせて突起体を移動させるためのスライド部が設けられ、施錠するときに棒状体は、凹部内で回転手段により回転しながら突起体を押して初期位置から移動させ、施錠を解除するときに棒状体は、凹部内で回転手段により回転しながら突起体を初期位置へ移動させることを特徴とする。
【００１２】
回転手段により棒状体が回転して棒状体に設けられた係止部が螺旋状にスライド部をスライドすることにより、棒状体は回転しながら突起体を押して初期位置から移動させることができ、また、棒状体は回転しながら突起体を初期位置へと移動させて戻すことができる。これにより、突起を本体から出没させることができる。
【００１３】
ここで、回転手段は、棒状体に備わるピニオンと、トイレ個室内から施錠するための施錠器具に形成されピニオンと噛み合うラックとを有していれば、簡易な構造で棒状体を回転させることができる。
【発明の効果】
【００１４】
本発明の最大の特徴は、トイレのドアの施錠状態を触覚により識別するための識別手段を備えたことである。これにより、視覚障害者はトイレ個室に入るときにそのトイレ個室が施錠されているか否かを手等で触れて触覚により識別することができる。これにより視覚障害者は、ドアをノックしたり押したりすることなくそのトイレ個室が使用者により使用中であるか否かを判断することができる。
さらに識別手段を、貫通孔を有する本体と、貫通孔を通過して本体から出没可能な少なくとも一つの突起を有する突起体により構成することにより、識別手段は簡易な構造となり、視覚障害者はドアの施錠状態を容易に識別することができる。
【発明を実施するための最良の形態】
【００１５】
以下、図１〜図３に基づいて、本発明の実施形態である視覚障害者用トイレ施錠確認具（以下、施錠確認具と称す）について説明する。
図１は本発明の実施形態である施錠確認具がトイレ個室のドアの外側に設けられた状態を示す図である。図２は図１に示す施錠確認具の拡大図であり、（ａ）は施錠を解除した状態を示す図、（ｂ）は施錠した状態を示すである。図３はトイレ個室のドアの内側の施錠状態を示す正面図であり、（ａ）は施錠を解除した状態を示す図、（ｂ）は施錠した状態を示すである。
【００１６】
図１，図２に示すように、トイレ個室のドア１には、施錠確認具３が設けられており、施錠確認具３は、識別手段である貫通孔１２を有しドアの外側に設けられた本体１１と、この本体に収容され貫通孔１２を通過して本体１１から出没可能な二つの突起１３ａを有する突起体１３（図４参照）とを備えている。施錠確認具３は突起体１３を移動させて本体１１から出没させる移動機構を備えており、トイレの使用者がトイレ個室に入り施錠したときに、貫通孔１２から突起１３ａの一部が突出し、また、トイレの使用者がドア１の施錠を解除したときに、突出していた突起１３ａは本体１１の中に収容される構造となっている。
【００１７】
このように、本体１１と突起体１３が識別手段として機能し、視覚障害者は、トイレ個室を使用しようとするときに施錠確認具３を手等で触りながら触覚により突起１３ａが確認できればドア１が施錠された状態にあることを認識することができる。また、視覚障害者は、触覚により突起１３ａが確認できなければ、ドア１は施錠が解除された状態であることを認識することができる。このように、視覚障害者は、トイレ個室のドア１をノックしたり押したりすることなくそのトイレ個室が使用者により使用中であるか否かを判断することができる。なお、突起１３ａはドア１から離れていても見えるため、視覚健常者も視覚により識別可能である。また、突起１３ａは触覚により確認しやすいものであれば一つでも良く、その数には限定されない。さらに、本実施形態では本体１１は楕円状であり、横幅が略８ｃｍ、縦幅が略４ｃｍとしているが、これに限定されるものではなく識別容易であれば他の形状とすることもできる。
【００１８】
ここで図３に示すように、ドア１のトイレ個室側（以下、ドアの内側と称す）には、施錠器具４が設けられており、トイレ個室の間仕切り１ａの個室側（内側）には止め具５が固定されている。施錠器具４は保持具（図４における符号１４）により保持されて止め具５の方向（矢印Ｃ方向）へスライド可能な状態となっており、施錠器具４が止め具５と交差しないときには施錠が解除された状態（図３（ａ））となり、施錠器具４がスライドして止め具５と交差したときに施錠された状態となる（図３（ａ））。このように、施錠器具４がスライドするときに、前述の移動機構により突起１３ａが出没するような構造になっている。
【００１９】
次に、図４に基づいて施錠確認具３について詳細に説明する。図４は、図２の施錠確認具３の断面を示す模式図であり、（ａ）は図２（ａ）のＡ−Ａ線断面図、（ｂ）は図２（ｂ）のＢ−Ｂ線断面図である。図４に示すように、ドア１には施錠確認具３がネジ（図示せず）により固定されており、ドア１の内側には施錠器具４が設けられている。施錠器具４は保持具１４に保持されており、施錠する方向（矢印Ｃ方向）にスライド可能な状態となっている。施錠器具４には、後述するピニオン２１と噛み合うラック４ａが形成されている。保持具１４はドア１の内側にネジ（図示せず）により固定されている。
【００２０】
施錠確認具３は、ドア１の外側に設けられ前述した識別手段である本体１１と突起体１３を有しており、突起体１３は、突起１３ａと、円筒部１３ｂと、突起１３ａと円筒部１３ｂとを一体連結する連結部１３ｃにより構成されている。円筒部１３ｂは後述する凹部２３を有する筒状であり、棒状体２２が貫通している。棒状体２２はドア１を貫通しており、棒状体２２は円筒状となってピニオン２１が挿入されている。また、本体１１内には、断面コ字状の固定具１６が固定されており、バネ１５の付勢力により突起体１３が固定具１６に接した状態で初期位置の状態（図４（ａ））にある。従って、突起１３ａは、施錠が解除されたときには本体１１内に収容されている。
【００２１】
トイレ個室において使用者が施錠するときに施錠器具４を矢印Ｃ方向へスライドさせると、ラック４ａはピニオン２１と噛み合って回転手段として機能し、ピニオン２１が回転する（矢印Ｄ）。この回転により棒状体２２が長手方向の中心軸を支軸として回転して、図５において後述するように突起体１３を初期位置の状態から押し出して移動させるようになっている。突起体１３が移動すると、突起１３ａは貫通孔１２から突出する。このとき、バネ１５は押されて縮んだ状態となっているが、突起体１３は後述するように棒状体２２に係止されて、突起体１３が初期位置に戻らないようになっている（図４（ｂ））。
【００２２】
また、使用者が施錠を解除しようとして施錠器具４を逆方向にスライドさせると、ラック４ａはピニオン２１と噛み合って回転手段として機能し、ピニオン２１は逆回転（矢印Ｄと逆方向）する。これにより棒状体２２が逆回転して前述の係止が解除され、突起体１３がバネ１５に付勢されて初期位置に移動して戻り、突起１３ａは本体１１内に収容される（図４（ａ））。
【００２３】
以上のように、棒状体２２と、ラック４ａとピニオン２１が噛み合って機能する回転手段とが移動機構として機能して突起体１３を移動させることができ、突起１３ａが出没可能となる。これにより、視覚障害者はトイレ個室外からドア１の施錠状態を触覚により容易に識別することができる。
【００２４】
ここで、図５に基づいて突起体１３の移動機構について詳細に説明する。図５は、図４に示す突起体１３が移動する機構を示す図であり、（ａ）はピニオン２１を示す図、（ｂ）は棒状体２２を示す一部切り欠き図、（ｃ）は突起体１３を示す図である。
ピニオン２１は、歯車２１ａと、胴体２１ｂと、胴体２１ｂを切り欠いて角柱状とした足部２１ｃとから構成されている。ラック４ａが歯車２１ａと噛み合ったときに、胴体２１ｂと足部２１ｃが回転する（矢印Ｄ方向）。
【００２５】
棒状体２２は、胴体２２ｂに空洞２２ａが形成された円筒状であり、この空洞２２ａの外径は、ピニオン２１の胴体２１ｂの外径よりもわずかに大きく、ピニオン２１を挿入可能である。空洞２２ａ内には、足部２１ｃを引っ掛けるための突条２２ｃが２箇所の対向した位置に設けられている。このため、空洞２２ａにはピニオン２１の足部２１ｃが挿入されて、ピニオン２１が棒状体２２に引っ掛かった状態となっている。棒状体２２の突起体１３側には後述する突起体１３に係止されるための係止部２２ｄが形成されている。
【００２６】
突起体１３には円筒状の凹部２３が形成され、この凹部２３に棒状体２２が嵌合している。凹部２３には、棒状体２２に設けられた係止部２２ｄが螺旋状にスライドして突起体１３を押して移動させるためのスライド部２４が設けられている。スライド部２４は、傾斜した螺旋状の面となっており、スライド部２４の上方終端には係止部２２ｄのスライドを止めるためのストッパ２５が設けられている。このストッパ２５近傍のスライド部２４には傾斜していない平坦部２４ａが形成されている。
【００２７】
以上のような構成とすることにより、施錠器具４をスライドさせて施錠するときに、ラック４が歯車２１ａと噛み合うことでピニオン２１ｃが長手方向の中心軸線を中心に回転し（矢印Ｄ方向）、足部２１ｃが突条２２ｃに引っ掛かって、棒状体２２が凹部２３内で回転する（矢印Ｅ方向）。このとき、係止部２２ｄがスライド部２４をスライドしながら回転して突起体１３を押して移動させることとなる。さらに係止部２２ｄがストッパ２５に到達したときに、突起体１３の移動量は最大となって、突起１３ａは本体１１から最も突出する。ここで、係止部２２ｄが平坦部２４ａに位置したときにバネ１５の付勢力は最大となるが、係止部２２が平坦部２４ａに係止されるため、突起体１３が自然に初期位置に戻ることはない。
【００２８】
さらに施錠を解除するときは、ラック４ａが歯車２１ａと噛み合うことでピニオン２１ｃが逆回転（矢印Ｄと逆方向）し、足部２１ｃが突条２２ｃに引っ掛かって、棒状体２２が凹部２３内で逆回転する（矢印Ｅと逆方向）。このとき、係止部２２ｄがスライド部２４をスライドしながら棒状体２２が逆回転して、突起体１３はバネ１５に付勢されて移動して初期位置に戻り、突起１３ａは本体１１内に収容される。
ここで本実施形態では、棒状体２２は凹部２３の底にある貫通穴（図示せず）と、本体１１とを貫通させて棒状体２２の軸触れを防止しているが、これに限定するものではなく、棒状体２２が安定して回転できればこれらを貫通しない構造としても良い。
【００２９】
以上のように、棒状体２２に設けられた係止部２２ｄが螺旋状にスライド部２４をスライドすることにより、棒状体２２は回転しながら突起体１３を押して初期位置から移動させることができ、また、棒状体２２は逆回転しながら突起体１３を初期位置へと移動させて戻すことができる。これにより、突起１３ａを本体１１から出没させることができる。
【産業上の利用可能性】
【００３０】
本発明の施錠確認具は、視覚障害者用のトイレにおいて広く利用することができる。
【図面の簡単な説明】
【００３１】
【図１】本発明の実施形態である施錠確認具がトイレ個室のドアの外側に設けられた状態を示す図である。
【図２】図１に示す施錠確認具の拡大図であり、（ａ）は施錠を解除した状態を示す図、（ｂ）は施錠状態を示すである。
【図３】トイレ個室のドアの内側の施錠状態を示す正面図であり、（ａ）は施錠を解除した状態を示す図、（ｂ）は施錠状態を示すである。
【図４】図２の施錠確認具の断面を示す模式図であり、（ａ）は図２（ａ）のＡ−Ａ線断面図、（ｂ）は図２（ｂ）のＢ−Ｂ線断面図である。
【図５】図５は、図４に示す突起体が移動する機構を示す図であり、（ａ）はピニオンを示す図、（ｂ）は棒状体を示す一部切り欠き図、（ｃ）は突起体を示す図である。
【符号の説明】
【００３２】
１  ドア
１ａ  間仕切り
３  施錠確認具
４  施錠器具
４ａ  ラック
５  止め具
１１  本体
１２  貫通孔
１３  突起体
１３ａ  突起
１３ｂ  円筒部
１３ｃ  連結部
１４  保持具
１５  バネ
１６  固定具
２１  ピニオン
２１ａ  歯車
２１ｂ  胴体
２１ｃ  足部
２２  棒状体
２２ａ  空洞
２２ｂ  胴体
２２ｃ  突条
２３  凹部
２４  スライド部
２４ａ  平坦部
Ｄ，Ｅ  方向
【図１】
2006177109.tif 000003
【図２】
2006177109.tif 000004
【図３】
2006177109.tif 000005
【図４】
2006177109.tif 000006
【図５】
2006177109.tif 000007